(57)【要約】      （修正有）【課題】スマートデバイスがバッテリー切れで利用できなくなった場合でも予め登録した非常用デバイスを用いてスマートロックの施錠や解錠を可能とする。【解決手段】予め非常用デバイス３を識別する認証用データを鍵データ管理サーバ４に登録しておく。スマートロックデバイス１とペアリングされたスマートデバイス２がバッテリー切れで利用できなくなるような非常事態が発生した場合、スマートロックデバイス１と非常用デバイス３間でネットワーク５を介してデータの送受信ができるようなペアリングを行う。これとともに、スマートロックデバイス１と鍵データ管理サーバ４との間で非常用デバイスＩＤの送受、認証を行い、非常用デバイス３によってスマートデバイス２と同様にドア６を自動的に解錠する。【選択図】図１
2018010449.tif 000002
【特許請求の範囲】
【請求項１】
通信機能を有するスマートデバイスとスマートロックデバイスと鍵データ管理サーバを備え、
前記スマートロックデバイスと、当該スマートロックデバイスの錠前を解錠する前記スマートデバイスとの無線通信の認証を行うスマートロック認証システムにおいて、
前記鍵データ管理サーバは、
前記スマートデバイスから前記スマートロックデバイスとの無線通信ペアリングの認証要求を受けたとき、当該スマートデバイスに対して第１の認証データの送付要求を行い、
前記スマートデバイスから第１の認証データを受けたとき、前記スマートデバイスと前記スマートロックデバイスとの無線通信ペアリング認証を行い、当該無線通信ペアリング認証の結果、認証が得られた場合、
前記スマートデバイスと前記スマートロックデバイスとの無線通信ペアリングによるデータ無線通信が可能となるように制御し、当該無線通信ペアリングにて前記スマートロックデバイスの錠前を解錠できるように制御する手段と、
前記スマートデバイスから、当該スマートデバイスが使用できなくなった場合の使用する非常用デバイスを識別する第２の認証データを事前に受けて登録する手段と、
前記スマートデバイスが使用できない非常時が発生し、前記スマートロックデバイスから認証要求を受けたとき、当該スマートドアロックデバイスに対して前記第２の認証データの送付要求を行い、
前記スマートドアロックデバイスから前記第２の認証用データを受けたとき、
前記非常用デバイスと前記スマートロックデバイスとの無線通信ペアリング認証を行い、当該無線通信ペアリング認証結果、認証が得られた場合、前記非常用デバイスと前記スマートロックデバイスとのペアリングにてデータ無線通信が可能となるように制御し、当該無線通信ペアリングにてスマートロックの錠前を解錠できるように制御する手段と、
を有する、スマートロック認証システム。
【請求項２】
請求項１に記載されたスマートロック認証システムにおいて、
前記スマートデバイスは、スマートフォンであり、前記第１の認証データは、当該スマートフォンのパスコードからなり、前記非常用デバイスは、ＮＦＣ対応の非接触ＩＣカード、ＩＣタグを含む媒体の何れか一つであり、前記第２の認証データは、前記非常用デバイスの非常用デバイスＩＤである
スマートロック認証システム。
【請求項３】
スマートロックデバイスと、スマートデバイスと、鍵データ管理サーバを備え、
前記スマートロックデバイスと前記スマートデバイスとの通信ペアリングをもって、当該スマートデバイスによる前記スマートロックデバイスのロック機構を解錠するスマートロックシステムにおけるスマートロック認証システムにおいて、
前記鍵データ管理サーバは、
前記スマートデバイスによる前記スマートロックデバイスのロック解錠が不可能であることを検知したとき、
前記検知を前記スマートロックデバイスに通知し、前記スマートロックデバイスと前記スマートデバイスに代わる非常用デバイスとの通信ペアリング、及び当該通信ペアリングによる鍵データの通信を管理する手段と、
前記スマートロックデバイスに対して、前記スマートデバイスに代わる非常用デバイスを示す鍵データの送付を要求する手段と、
前記スマートロックデバイスから前記非常用デバイスを識別する鍵データを受信したとき、
前記鍵データを元に前記スマートロックデバイスと非常用デバイスとを通信ペアリングによる鍵データの通信を認証する手段と、
前記鍵データの認証をもって前記非常用デバイスによる前記スマートロックデバイスのロック解錠を実行する
ことを特徴とするスマートロック認証システム。
【請求項４】
請求項３に記載されたスマートロック認証システムにおいて、
前記スマートロックデバイスと前記スマートデバイスとの通信ペアリングがネットワーク対応の第１の無線通信ペアリングであり、
前記スマートロックデバイスと前記スマートデバイスとの通信ペアリングが近接距離対応の第２の無線通信ペアリングであり、
前記スマートデバイスを示す鍵データがパスコードであり、
前記非常用デバイスを示す鍵データが非常用デバイスＩＤである
ことを特徴とするスマートロック認証システム。
【請求項５】
請求項３又は４に記載されたスマートロック認証システムにおいて、
前記スマートデバイスが無線通信機能を有する携帯端末からなり、前記非常用デバイスが通信機能を有する非接触ＩＣカード、又はＩＣタグを含むカードからなる
スマートロック認証システム。
【請求項６】
スマートデバイスとスマートロックデバイスと鍵データ管理サーバを備え、
前記スマートロックデバイスと、当該スマートロックデバイスの鍵を解錠する前記スマートデバイスとの無線通信の認証を行うスマートロック認証方法において、
前記鍵データ管理サーバは、
前記スマートデバイスから前記スマートロックデバイスとの無線通信ペアリングの認証要求を受けたとき、当該スマートデバイスに対して第１の認証データの送付要求を行うステップと、
前記スマートデバイスから第１の認証データを受けたとき、前記スマートデバイスと前記スマートロックデバイスとの第１無線通信ペアリング認証を行うステップと
前記第１無線通信ペアリング認証を行うステップにより認証が得られた場合、
前記スマートデバイスと前記スマートロックデバイスとの無線通信ペアリングによるデータ無線通信が可能となるように制御し、当該無線通信ペアリングにて前記スマートロックデバイスの錠前を解錠できるように制御するステップと、
前記スマートデバイスから、当該スマートデバイスが使用できなくなった場合の使用する非常用デバイスを識別する第２の認証データを事前に受けて登録するステップと、
前記スマートデバイスが使用できない非常時が発生し、前記スマートロックデバイスから認証要求を受けたとき、当該スマートドアロックデバイスに対して前記第２の認証データの送付要求を行うステップと、
前記スマートドアロックデバイスから前記第２の認証用データを受けたとき、
前記非常用デバイスと前記スマートロックデバイスとの第２の無線通信ペアリング認証を行うステップと、
前記第２の無線通信ペアリング認証を行うステップにより、認証が得られた場合、前記非常用デバイスと前記スマートロックデバイスとのペアリングによるデータ無線通信が可能となるように制御し、当該無線通信ペアリングにて前記スマートロックデバイスの錠前を解錠が可能できるように制御するステップと、
を有する、スマートロック認証方法。
【請求項７】
請求項６に記載されたスマートロック認証方法において、
前記スマートデバイスは、スマートフォンであり、前記第１の認証データは、当該スマートフォンのパスコードからなり、前記非常用デバイスは、ＮＦＣ対応の非接触ＩＣカード、ＩＣタグを含む媒体の何れか一つであり、前記第２の認証データは、前記非常用デバイスの非常用デバイスＩＤであるスマートロック認証方法。
【請求項８】
スマートロックデバイスと、スマートデバイスと、鍵データ管理サーバを備え、
前記スマートロックデバイスと前記スマートデバイスとの通信ペアリングをもって、当該スマートデバイスによる前記スマートロックデバイスのロック機構を解錠するスマートロックシステムにおけるスマートロック認証方法において、
前記鍵データ管理サーバは、
前記スマートデバイスによる前記スマートロックデバイスのロック解錠が不可能であることを検知したとき、
前記検知を前記スマートロックデバイスに通知し、前記スマートロックデバイスと前記スマートデバイスに代わる非常用デバイスとの通信ペアリング、及び当該通信ペアリングによる鍵データの通信を管理し、
前記スマートロックデバイスに対して、前記スマートデバイスに代わる非常用デバイスを示す鍵データの送付を要求し、
前記スマートロックデバイスから前記非常用デバイスを識別する鍵データを受信したとき、
前記鍵データを元に前記スマートロックデバイスと非常用デバイスとを通信ペアリングによる鍵データの通信を認証し、
前記鍵データの認証をもって前記非常用デバイスによる前記スマートロックデバイスのロック解錠を実行する
ことを特徴とするスマートロック認証方法。
【請求項９】
請求項８に記載されたスマートロック認証方法において、
前記スマートロックデバイスと前記スマートデバイスとの通信ペアリングがネットワーク対応の第１の無線通信ペアリングであり、
前記スマートロックデバイスと前記スマートデバイスとの通信ペアリングが近接距離対応の第２の無線通信ペアリングであり、
前記スマートデバイスを示す鍵データがパスコードであり、
前記非常用デバイスを示す鍵データが非常用デバイスＩＤである
ことを特徴とするスマートロック認証方法。
【請求項１０】
鍵データ管理サーバを備え、通信機能を有し、スマートロックデバイスの鍵を解錠する電子機器の認証を行うスマートロック認証方法において、
前記鍵データ管理サーバは、
前記電子機器から認証要求を受けたとき、当該電子機器に対して第１の認証データの送付要求を行い、前記電子機器から第１の認証データを受けたとき、当該電子機器の認証を行い、当該電子機器と前記スマートロックデバイスとのペアリングによるデータ無線通信を可能とするステップと、
前記電子機器から非常用デバイスを識別する第２の認証データを事前に受けて登録するステップと、
前記電子機器が使用できないような非常時が発生し、前記スマートロックデバイスから認証要求を受けたとき、当該スマートドアロックデバイスに対して前記第２の認証データの送付要求を行い、前記スマートドアロックデバイスから前記第２の認証用データを受けたとき、当該非常用デバイスの認証を行い、当該非常用デバイスと前記スマートロックデバイスとのペアリングによるデータ無線通信を可能とするステップと、
を有する、スマートロック認証方法。
【請求項１１】
スマートロックデバイスと、スマートデバイスと、鍵データ管理サーバを備え、
前記スマートロックデバイスと前記スマートデバイスとの通信ペアリングをもって、当該スマートデバイスによる前記スマートロックデバイスのロック機構を解錠するスマートロックシステムにおけるスマートロック認証方法において、
前記鍵データ管理サーバは、
前記スマートデバイスによる前記スマートロックデバイスのロック解錠が不可能であることを検知したとき、
前記検知を前記スマートロックデバイスに通知し、前記スマートロックデバイスと前記スマートデバイスに代わる非常用デバイスとの通信ペアリング、及び当該通信ペアリングによる鍵データの通信を管理し、
前記スマートロックデバイスに対して、前記スマートデバイスに代わる非常用デバイスを示す鍵データの送付を要求し、
前記スマートロックデバイスから前記非常用デバイスを識別する鍵データを受信したとき、
前記鍵データを元に前記スマートロックデバイスと非常用デバイスとを通信ペアリングによる鍵データの通信を認証し、
前記鍵データの認証をもって前記非常用デバイスによる前記スマートロックデバイスのロック解錠を実行する
ことを特徴とするスマートロック認証方法。
【請求項１２】
請求項１１に記載されたスマートロック認証方法において、
前記スマートロックデバイスと前記スマートデバイスとの通信ペアリングがネットワーク対応の第１の無線通信ペアリングであり、
前記スマートロックデバイスと前記スマートデバイスとの通信ペアリングが近接距離対応の第２の無線通信ペアリングであり、
前記スマートデバイスを示す鍵データがパスコードであり、
前記非常用デバイスを示す鍵データが非常用デバイスＩＤである
ことを特徴とするスマートロック認証方法。
【発明の詳細な説明】
【技術分野】
【０００１】
本発明は、スマートロック（スマートロックデバイス）におけるスマートロック認証システム及び方法に関する。
【背景技術】
【０００２】
従前、ドアのロックは、シリンダー錠タイプが大半のシェアを占めている。最近、シリンダー錠タイプに置き換わるものとしてスマートロック、又はスマートロックシステムと呼ばれる新たなドアロック技術が注目を浴びている。
【０００３】
スマートロック、又はスマートロックシステムとは、例えば、無線通信機能を備えたスマートフォン（Smartphone）や携帯電話、などの携帯情報端末（通常時に使用するスマートデバイス）を利用して、スマートロック（錠前）を自動開閉するものである（非特許文献１参照）。
そして、スマートロック、又はスマートロックシステムは、スマートデバイスとスマートロックデバイスの無線通信ペアリングにおけるスマートロックの解錠を認証するためのスマートロック認証システムを備えている。
【先行技術文献】
【非特許文献】
【０００４】
【非特許文献１】http://www.smartlock.systems/
【発明の概要】
【発明が解決しようとする課題】
【０００５】
従来のスマートロック、又はスマートロックシステムは、通常時に使用するスマートデバイスがバッテリー切れなどで利用できなくなった場合、つまり、非常時にスマートロックの解錠を行うことができなくなる。
換言すれば、非常時に、通常時に使用されるスマートデバイスと同様な方法でスマートロックの解錠を可能とすることまでは考慮されていない。そのため、スマートデバイスを用いたスマートロックの施錠（ロック）や解錠（アンロック）という効果に留まる。
非特許文献１には、スマートフォンによるスマートロックの解錠ができない場合、従前と同様に手で操作できるシリンダー錠タイプのドアロック（ドアロック開閉機構）を併用して用いることが開示されている。
しかし、斯様に、手で操作できるシリンダー錠タイプのドアロックを用意するものにあっては、非常時に、例えば、ドアに近づくだけでドアを自動的に解錠するスマートロック機能を活かすことができず、スマートロックとしての効果が半減する。
【０００６】
そこで、本発明では、例えば、無線通信機能を備えたスマートフォンや携帯電話などの携帯情報端末（スマートデバイス）がバッテリー切れなどで利用できなくなった場合も予め登録した非常時用デバイス、例えば、非接触ＩＣカードやＩＣタグ、その他のデバイスを用いてスマートロックの解錠を可能とする技術を提供することを目的とする。
【課題を解決するための手段】
【０００７】
上記課題を解決するために、代表的な本発明のスマートロック認証システム及び方法の一つは、
通常時に使用されるスマートデバイスとは別に、当該スマートデバイスが使用できなくなった場合、非常時に使用される非常用デバイス（例えば、非接触ＩＣカードなどのデバイス）を用意し、当該スマートデバイス及び非常用デバイスをそれぞれ識別するための認証用データ又は鍵データ（例えば、パスワード及び非常用デバイスＩＤ）を鍵データ管理サーバに登録しておき、
通常時には、スマートロック認証システム（鍵データサーバ）とスマートデバイスとの間で認証用データ又は鍵データ（パスコード）の送受及び認証を行い、当該認証結果、スマートデバイスとスマートロックデバイスとの無線通信ペアリング認証が得られた場合、当該無線通信ペアリングによるスマートロックの解錠が可能となるように制御し、
スマートデバイスが利用できなくなった場合（例えば、バッテリー切れ時）には、スマートロックデバイスとスマートロック認証システム（鍵データ管理サーバ）との間で認証用データ（非常用デバイスＩＤ）の送受、認証を行い、当該認証結果、非常用デバイスとスマートロックデバイスとの無線通信ペアリング認証が得られた場合、当該無線通信ペアリングによるスマートロックの解錠が可能となるように制御するものである。
【発明の効果】
【０００８】
本発明によれば、通常、スマートロック用として利用できるスマートデバイス、例えば、バッテリー切れで使用できなくなっても、非常用デバイスを用いて通常時に使用されるスマートデバイスと同様にスマートロックの解錠を自動的に行うことができる。
上記した以外の課題、構成及び効果は、以下の実施態様の説明により明らかにされる。
【図面の簡単な説明】
【０００９】
【図１】本発明のスマートロック認証システムの概略を説明する図。
【図２】本発明のスマートロック認証システムの構成例を示す図。
【図３】本発明のスマートロック認証システムを構成する鍵データ管理サーバの構成例を示す図。
【図４】通常時におけるスマートロックデバイスと鍵データ管理サーバとスマートデバイとの間のシーケンス及び各スマートロックデバイス、鍵データ管理サーバ、スマートフォンの各処理を示すフローチャート。
【図５】非常時におけるスマートロックデバイスと鍵データ管理サーバとスマートデバイスと非常用デバイスとの間のシーケンス及び各スマートロックデバイス、鍵データ管理サーバ、スマートデバイスの各処理を示すフローチャート。
【図６】スマートフォンが使用できなくなった場合におけるスマートロックデバイスと非常用デバイスと間のＮＦＣペアリングを実行する処理手順を示すフローチャート。
【発明を実施するための形態】
【００１０】
以下、本発明の実施例について図面を参照して説明する。
本実施例では、スマートロックとの間で無線通信し、スマートロックを解錠するスマートデバイス（通常用デバイスと称する場合がある）として、例えば、ブルーツース（Bluetooth）（登録商標）通信技術を搭載したスマートフォン２を使用し、また、スマートフォン２が使用できなくなった場合、スマートロックとの間で無線通信し、スマートロックを解錠する非常用デバイスとしてＮＦＣ対応の非接触ＩＣカード３を使用することを前提として説明する。
【００１１】
ＮＦＣ（Near Field Communication）とは、ソニー株式会社とフィリップス社（現NXPセミコンダクターズ社）が共同開発し、国際標準規格として承認された、今最も注目を集めている近距離無線通信技術である。なお、無線通信技術は、ブルーツース（Bluetooth）、ＮＦＣ（Near Field Communication）に限定する必要はない。
【実施例】
【００１２】
図１は、本発明のスマートロック認証システムの概略を説明する図、図２は、スマートロック認証システムの構成例を示す図である。
【００１３】
スマートロック認証システムは、鍵データ管理サーバ４を備え、鍵データ管理サーバ４は、ネットワーク５を介してスマートロックデバイス（電子鍵）１、スマートフォン２に接続し、スマートフォン２の鍵コード（例えば、パスコード）、又は非接触ＩＣカード３の鍵コード（例えば、非常用デバイスＩＤ）の管理、認証を行う。
【００１４】
スマートロックデバイス１は、スマートフォン２のパスコード、又は非接触ＩＣカード３の非常用デバイスＩＤを受けて、ドア６に取り付けられたロック機構６１１を施錠、解錠するものである。
スマートロックデバイス１は、スマートフォン２との間で無線通信（データ通信）を可能とする以外に非接触ＩＣカード３との間で無線通信（データ通信）を可能とする通信装置１１を有する。また、スマートロックデバイス１は、室内の通信回線などを利用可能なものとする。また電源も室内環境などから供給できるものとする。
スマートロックデバイス１の詳細については後述する。
【００１５】
スマートロックデバイス１とスマートフォン２は、両者間でデータ（ドアをロック、アンロックを行うことを示す信号）の送受信ができるようにペアリングを行う。このペアリングは、スマートロックデバイス１とスマートフォン２とを無線により接続し、例えば、周知のブルーツース（Bluetooth）通信技術を使用して、両者間でデータの送受を可能に構成する。そして、スマートフォン２を用いてスマートロックデバイス１側の錠前のロック機構６１１を開閉ができるようにする。
【００１６】
スマートフォン２は、通常時、つまり、スマートフォン２が正常状態にある場合にスマートロックデバイス１と無線通信により接続し、つまり、スマートロックデバイス１との無線通信ペアリングを行い、スマートフォン２を利用してスマートロックデバイス１側の錠前のロック機構６１１を自動的に解錠するものである。錠前のロック機構６１１は、所望時間が経過すると自動的にドアをロックする、所謂オートロック機能を有するものを使用するとよい。
【００１７】
非接触ＩＣカード３は、スマートフォン２が何等かの原因により使用できなくなった場合、スマートフォン２に代わり、スマートロックデバイス１と無線通信により接続し、つまり、スマートロックデバイス１との無線通信ペアリングを行い、非接触ＩＣカード３を利用してスマートロックデバイス１側の錠前のロック機構６１１を自動的に解錠するものである。
【００１８】
このペアリングは、スマートロックデバイス１と非接触ＩＣカード３とを無線により接続し、例えば、近距離通信機能を有する周知のＮＦＣ（Near Field Communication）通信技術を利用して、両者間でデータの送受を可能に構成する。
【００１９】
鍵データ管理サーバ４は、スマートフォン２及びスマートロックデバイス１との間で無線通信し、通常時にスマートフォン２による鍵の利用、つまり、スマートロック解除用のデバイスとして利用を許可するか否かのスマートロック認証を行う機能、また、非常時に非接触ＩＣカード３による鍵の利用、つまり、スマートロック解錠用のデバイスとして利用を許可するか否かのスマートロック認証を行う機能、を有する。また、スマートフォン２からの電波状況を監視し、当該電波状況をもってスマートフォンが使用できない状況にあるか否かを検知し、スマートフォン２が使用できない状況にあることを検知したとき、スマートロックデバイス１側に通知する機能を有する。
鍵データ管理サーバ４の構成及び動作については後述する。
【００２０】
次に、スマートロックデバイス１、スマートフォン２、非常用デバイス３、鍵データ管理サーバ４、の関係について説明する。
【００２１】
図２は、本発明のスマートロック認証システムの構成例を示す図である。
スマートロックデバイス１は、通信装置１１、記憶装置１２、スマートロック制御装置１４、を有する。
【００２２】
通信装置１１は、通信インターフェース部１１１、スマートフォンインターフェース部１１２、非常用デバイスＩＤインターフェース部１１３、を含む。これらのインターフェース部は、兼用できるものは兼用してもよい。
【００２３】
通信インターフェース部１１１は、鍵データ管理サーバ４との間でデータ通信を行う。
スマートフォンインターフェース部１１２は、スマートフォン２との間でデータ通信を行う。
【００２４】
非常用デバイスＩＤインターフェース部１１３は、非接触ＩＣカード３との間でデータ通信を行う。
【００２５】
記憶装置１２は、パスコード記憶部１２１、非常用デバイスＩＤ記憶部１２２、を含む。
パスコード記憶部１２１は、スマートフォン２を識別する鍵データ、例えば、パスコードを記憶する。
【００２６】
非常用デバイスＩＤ記憶部１２２は、非接触ＩＣカード３を識別する鍵データ、例えば、非常用デバイスＩＤを記憶する。
【００２７】
スマートロック制御装置１４は、認証要求部１４１、非常用デバイスＩＤ送付部１４２、ドアロック制御部１４３、を含む。
【００２８】
認証要求部１４１は、非常用デバイスＩＤインターフェース部１１３を介して鍵データ管理サーバ４に対し、非常用デバイス３を認証するための認証要求を行う。
【００２９】
非常用デバイスＩＤ送付部１４２は、上述した認証要求し、鍵データ管理サーバ４からの非常用デバイスＩＤ要求を受けたとき、非常用デバイス３を認証するための非常用デバイスＩＤを、非常用デバイスＩＤインターフェース部１１３を介して鍵データ管理サーバ４に対して送付する。
【００３０】
ドアロック制御部１４３は、非常用デバイスＩＤを元に鍵データ管理サーバ４にて認証され、非接触ＩＣカード３からのドアロック解錠指令を受けたとき、非接触ＩＣカード３によるドアロック機構６１１の解錠などの制御を可能とする。
また、ドアロック制御部１４３は、スマートフォン２と鍵データ管理サーバ４との間でスマートフォン２が認証された場合には、スマートフォン２によるドアロック機構６１１の解錠などの制御を可能とする。
【００３１】
ここで、認証とは、スマートフォン２や非接触ＩＣカード３がスマートロックデバイス１側の錠前を解除する鍵として使用できるものであるか否かの認証である。
【００３２】
図３は、鍵データ管理サーバの構成例を示す図である。
鍵データ管理サーバ４は、（２）スマートフォン２から認証要求を受けたとき、（３）スマートフォン２に対してパスコードの送付要求を行い、（４）スマートフォン２からパスコードを受けたとき、（５）スマートフォン２の認証を行い、（１）スマートフォン２とスマートロックデバイス１とのペアリングによるデータ無線通信を可能とする機能と、
（ａ）（ｂ）スマートフォン２から非常用デバイスＩＤを事前に受けて登録する機能と、
スマートフォン２が使用できないような非常時が発生し、（ｄ）スマートロックデバイス１から認証要求を受けたとき、（ｅ）スマートロックデバイス１に対して非常用デバイスＩＤの送付要求を行い、（ｆ）スマートロックデバイス１から非常用デバイスＩＤを受けたとき、（ｇ）非常用デバイス３の認証を行い、（ｃ）非常用デバイス３とスマートロックデバイス１とのペアリングによるデータ無線通信を可能とする機能と、を有する。
【００３３】
即ち、鍵データ管理サーバ４は、上述したように通常時、つまりスマートフォン２が正常な状態にある場合には、
【００３４】
（１）まず、スマートロックデバイス１とスマートフォン２のブルーツース（Bluetooth）よるペアリングを行う。
【００３５】
次に、（２）スマートフォン２から認証要求を受けたとき、（３）スマートフォン２に対して認証用データ、例えば、パスコード要求を行う。
【００３６】
次いで、（４）スマートフォン２から鍵データ（パスコード送付）を受けたとき、（５）当該パスコードにてスマートフォン２の認証を行う。
【００３７】
スマートフォン２の認証がとれた場合には、スマートロックデバイス１とスマートフォン２のブルーツース（Bluetooth）よるペアリングに基づき、スマートフォン２によりスマートロックデバイス１側の鍵の解錠を可能とする。
【００３８】
また、鍵データ管理サーバ４は、上述したようにスマートフォン２が利用できなくなった場合には、当該スマートフォンに代わって非接触ＩＣカード３が利用できるように、非接触ＩＣカード３の識別、認証に足りる情報である非常用デバイスＩＤを事前に登録しておく。
【００３９】
非接触ＩＣカード３は、あくまでも非常時に使用するものであることから、当該ＩＤは、その使用回数を制限することを目的として、例えば、ワンタイムキーとして使用するとよい。
【００４０】
そのため、鍵データ管理サーバ４は、通信装置４１、記憶装置４２、入出力装置４３、制御装置４４、を有する。
【００４１】
通信装置４１は、通信機能を有するスマートフォン２及びスマートロックデバイス１との間でデータの通信を可能とする通信インターフェース部４１１を含む。
【００４２】
記憶装置４２は、スマートフォン２及び非接触ＩＣカード３の認証を行う認証用データ又は鍵データを記憶するものであって、パスコード記憶部４２１、非常用デバイスＩＤ記憶部４２２、を含む。パスコード記憶部４２１は、入力部４３１から入力されるスマートフォン２の認証データ又は鍵データであるパスコードを記憶する。非常用デバイスＩＤ記憶部４２２は、スマートフォン２から送信される非常用デバイス３の認証データ又は鍵データである非常用デバイスＩＤを記憶する。
【００４３】
入出力装置４３は、入力部４３１、表示部４３２、を含む。入力部４３１は、パスコードや非常用デバイスＩＤを入力する。表示部４３２は、各種データを表示する。
【００４４】
制御装置４４は、各装置の動作制御を司り、内部に格納されたプログラムに従って上記の各装置の動作を制御するものであって、照合・認証部４４１、ブルーツースペアリング制御部４４２、ＮＦＣペアリング制御部４４３、を含む。
【００４５】
照合・認証部４４１は、パスコードや非常用デバイスＩＤなどの照合を行い、スマートフォン２とスマートロックデバイス１の無線通信ペアリング、また、非接触ＩＣカード３とスマートロックデバイス１の無線通信ペアリングについて認証する。
【００４６】
ブルーツースペアリング制御部４４２は、スマートフォン２とスマートロックデバイス１によるペアリングによる無線通信により、ドア解錠ができるようにスマートデバイス２側のドアロック制御部１４３を制御する。
【００４７】
ＮＦＣペアリング制御部４４３は、非常用デバイス３とスマートロックデバイス１によるペアリングによる無線通信により、ドア解錠ができるようにスマートデバイス２側のドアロック制御部１４３を制御する。
【００４８】
図４は、通常時におけるスマートロックデバイスと鍵データ管理サーバと通常用デバイスのスマートフォンとの間のシーケンス及び各スマートロックデバイス、鍵データ管理サーバ、スマートフォンの各処理を示すフローチャートである。
【００４９】
図４のフローチャートに基づく動作は以下のとおりである。
ステップＳ４０１：スマートロックデバイス１とスマートフォン２は、（１）両者間でデータ通信を可能とするペアリングを行う。
【００５０】
ステップＳ４０２：スマートフォン２は、（２）鍵データ管理サーバ４に対して認証要求を行う。
【００５１】
ステップＳ４０３：鍵データ管理サーバ４は、スマートフォン２からの認証要求を受信する。
【００５２】
ステップＳ４０４：鍵データ管理サーバ４は、（３）スマートフォン２に対して、認証のためのパスコードの送付要求行う。
【００５３】
ステップＳ４０５：スマートフォン２は、鍵データ管理サーバ４からのパスコード要求を受信する。
【００５４】
ステップＳ４０６：スマートフォン２は、（４）ステップＳ４０５にてパスコード要求を受けたとき、鍵データ管理サーバ４に対して、パスコードを送付する。
【００５５】
ステップＳ４０７：鍵データ管理サーバ４は、スマートフォン２からのパスコードを受信する。
【００５６】
ステップＳ４０８：鍵データ管理サーバ４は、スマートフォン２から送付されたパスコードと事前に入力、登録したパスコードと一致するか否かの照合を行う。
【００５７】
ステップＳ４０９：鍵データ管理サーバ４は、ステップＳ４０９によるパスコード照合結果を元に、（５）スマートフォン２が正当な持ち主（利用者）である旨であるか否かの認証を行う。つまり、スマートフォン２とスマートロックデバイス１の無線通信ペアリングによる無線通信可否について認証を行う。
【００５８】
係る認証結果、スマートフォン２が正当な持ち主（利用者）である旨であると認証した場合には、ステップＳ４０１によりペアリングしたスマートロックデバイス１とスマートフォン２間のデータ通信を可能とする。これにより、スマートロックデバイス１は、スマートフォン２によるスマートロックデバイス１側の鍵の解錠を行う。
【００５９】
図５は、非常時におけるスマートロックデバイスと鍵データ管理サーバと通常用デバイスのスマートフォンと非常用デバイスとの間のシーケンス及び各スマートロックデバイス、鍵データ管理サーバ、スマートフォンの各処理を示すフローチャートである。
【００６０】
図５のフローチャートに基づく動作は以下のとおりである。
ステップＳ５０１：非常用デバイス３は、非常用デバイス３を識別する非常用デバイスＩＤを入力部４３１により入力する。
【００６１】
ステップＳ５０２：スマートフォン２は、（ａ）非常用デバイスＩＤを事前登録する。
【００６２】
ステップＳ５０３：スマートフォン２は、（ｂ）鍵データ管理サーバ４に対して非常用デバイスＩＤを送付する。
【００６３】
ステップＳ５０４：鍵データ管理サーバ４は、スマートフォン２から送付された非常用デバイスＩＤを受信し、登録する。
【００６４】
ステップＳ５０５：（ｃ）スマートロックデバイス１と非常用デバイス３は、両者間でデータ通信を可能とするペアリングを行う。
【００６５】
ステップＳ５０６：スマートロックデバイス１は、ステップＳ４０５におけるペアリング時に非常用デバイス３の非常用デバイスＩＤを読取・保存する。
【００６６】
ステップＳ５０７：スマートロックデバイス１は、（ｄ）鍵データ管理サーバ４に対して認証要求を行う。
【００６７】
ステップＳ５０８：鍵データ管理サーバ４は、スマートロックデバイス１からの認証要求を受信する。
【００６８】
ステップＳ５０９：鍵データ管理サーバ４は、（ｅ）スマートロックデバイス１に対して、認証のための非常用デバイスＩＤの送付要求を行う。
【００６９】
ステップＳ５１０：スマートロックデバイス１は、鍵データ管理サーバ４からの非常用デバイスＩＤ要求を受信する。
【００７０】
ステップＳ５１１：スマートロックデバイス１は、ステップＳ５１０にて非常用デバイスＩＤを受けたとき、（ｆ）鍵データ管理サーバ４に対して、非常用デバイスＩＤを送付する。
【００７１】
ステップＳ５１２：鍵データ管理サーバ４は、スマートロックデバイス１からの非常用デバイスＩＤを受信する。
【００７２】
ステップＳ５１３：鍵データ管理サーバ４は、スマートロックデバイス１から送付された非常用デバイスＩＤが事前に利用者により登録された非常用デバイスＩＤと一致するか否かの照合を行う。
【００７３】
ステップＳ５１４：鍵データ管理サーバ４は、（ｇ）ステップＳ５１３による非常用デバイスＩＤ照合結果を元に、非常用デバイス３がスマートフォン２の持ち主（利用者）による事前登録あるか否かの認証を行う。つまり、スマートフォン２とスマートロックデバイス１の無線通信ペアリングによる無線通信可否について認証を行う。
【００７４】
係る認証結果、非常用デバイス３が正当な持ち主（利用者）である旨であると認証した場合には、ステップＳ５０４によりペアリングしたスマートロックデバイス１と非常用デバイス３間のデータ通信を可能とする。これにより、スマートロックデバイス１側の鍵は、非常用デバイス３により解錠される。
【００７５】
図６は、スマートフォン２が使用できなくなった場合におけるスマートロックデバイス１と非常用デバイス３とをＮＦＣペアリングする処理手順の一例を示すフローチャートである。
【００７６】
図６のフローチャートに基づく動作は以下のとおりである。
ステップＳ５２１：鍵データ管理サーバは、スマートフォンの電波状況を検出する。
【００７７】
ステップＳ５２２：鍵データ管理サーバは、ステップＳ５２１にて検出した電波状況からスマートフォンが使用不可能な状態にあるか否の使用可否を判定する。
【００７８】
ステップＳ５２３：鍵データ管理サーバは、ステップＳ５２２にて使用否と判定した場合、次のステップＳ５２３にて、その旨の使用否通知をスマートロックデバイスに通知する。
【００７９】
ステップＳ５２４：スマートロックデバイスは、鍵データ管理サーバからの使用否通知を受信する。
【００８０】
ステップＳ５２５：スマートロックデバイスは、スマートフォンが使用できない状態にあると判断し、予め用意された非常用デバイスとのＮＦＣペアリングを実行する。
【００８１】
なお、スマートロックデバイス１と非常用デバイス３とのペアリングは、他の手段により実行してもよい。
【００８２】
以上述べた実施例によれば、通常スマートドアロックの解錠として利用できるスマートフォン２が仮にバッテリー切れなどにより使用できなくなるような非常時でもこれに代わる非常用デバイス３を利用してスマートフォンと同様にスマートロックによる鍵を解錠できるようになる。
また、スマートフォンの非常用デバイスＩＤを非常時の認証情報とするのではなく、別の非常用デバイスを用いる仕組みを採用することで、スマートフォン紛失時に鍵を解錠できない事態を避けることができる。
さらに万一スマートフォンが第三者に渡ってしまった場合でも鍵を解錠されてしまうことは無く、セキュリティも通常時と同程度に保つことができる。
また、本システムを提供する側にとっては、ホームセキュリティ／ホームオートメーション市場への参画によるクラウド／サーバホスティングサービス、および保守・運用サービスの売上拡大を図ることができる。
【００８３】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【符号の説明】
【００８４】
１  スマートロックデバイス
１１  通信装置
１１１  通信インターフェース部
１１２  スマートフォンインターフェース部
１１３  非常用デバイスＩＤインターフェース部
１２  記憶装置
１２１  パスコード記憶部
１２２  非常用デバイスＩＤ記憶部
１４  スマートロック制御装置
２  スマートデバイス／通常用デバイス（スマートフォン）
３  非常用デバイス（非接触ＩＣカードやＩＣタグ）
４  鍵データ管理サーバ
４１  通信装置
４２  記憶装置
４２１  パスコード記憶部
４２２  非常用デバイスＩＤ記憶部
４３  入出力装置
４４  制御装置
４４１  照合・認証部
４４２  ブルーツースペアリング制御部
４４３  ＮＦＣペアリング制御部
【図１】
2018010449.tif 000003
【図２】
2018010449.tif 000004
【図３】
2018010449.tif 000005
【図４】
2018010449.tif 000006
【図５】
2018010449.tif 000007
【図６】
2018010449.tif 000008